(57)【特許請求の範囲】
【請求項１】
作用面が互いに逆向きに移動する硬貨搬送手段と硬貨分離ローラとを備えた硬貨分離装置であって、硬貨搬送手段と硬貨分離ローラとを最大の厚みを有する被分離硬貨１枚の厚み分より多少広目に離間して配置すると共に、硬貨分離ローラの表面に、最大の直径を有する被分離硬貨の直径以上に拡げて設ける幅広部が回転方向の前方に、最小の直径を有する被分離硬貨の直径以下に狭めて設ける尖端部が回転方向の後方に位置するように、異型凹みを形成したことを特徴とする硬貨分離装置。
【発明の詳細な説明】
【０００１】
【発明の属する技術分野】
本発明は、例えばパチンコ台の脇に設置する玉貸機の硬貨投入口から投入された硬貨を、パチンコ島の所要部、例えば島の端部などに搬送する装置と、搬送されてくる硬貨を計数機などに掛けるために一枚ずつに分離する装置に関する。
【０００２】
【従来の技術】
従来、この種の硬貨搬送装置として、例えば図６に示した構成のものが知られている。すなわち、従来の硬貨搬送装置は、玉貸し機などの一部分を構成し、起立姿勢の硬貨１が投入される硬貨回収装置２の下方に無端ベルト４を直接配置し、この無端ベルト４によって所要部に搬送する構成となっている。なお、図中３Ａ、３Ｂは、図示しない電動モータによって駆動されるプーリである。
【０００３】
また、無端ベルト４によって重なり合って搬送されてきた硬貨１が分離して後続の図示しない計数機などに供給されるように、例えば図７に示したように、無端ベルト４の移動方向と反対方向に移動（回転）する硬貨分離ローラ７に切り込み７ａ、７ｂなどを設け、上方の硬貨１を後方に跳ね飛ばし、一枚づつ搬送できるように構成した硬貨分離装置も知られている。
【０００４】
【発明が解決しようとする課題】
しかし、図６に示した硬貨搬送装置においては、図示したように無端ベルト４の上に落下した硬貨１が跳ねるなどして立つと、無端ベルト４が移動しても立った硬貨１は回転して搬送できない、あるいは搬送に時間が掛かるなどの理由で所定時間内に集計できないと云った問題点があった。
【０００５】
また、図７に示した硬貨分離装置においては、硬貨分離ローラ７をゴムによって形成していたため、硬貨１が無端ベルト４と硬貨分離ローラ７との間に食い込み後方に跳ね飛ばすことができなかったり、硬貨分離ローラ７が摩耗するなどと云った問題点があり、これら問題点の解決が課題となっていた。
【０００６】
【課題を解決するための手段】
上記目的を達成すべく本発明は、作用面が互いに逆向きに移動する硬貨搬送手段と硬貨分離ローラとを備えた硬貨分離装置において、硬貨搬送手段と硬貨分離ローラとを最大の厚みを有する被分離硬貨１枚の厚み分より多少広目に離間して配置すると共に、硬貨分離ローラの表面に、最大の直径を有する被分離硬貨の直径以上に拡げて設ける幅広部が回転方向の前方に、最小の直径を有する被分離硬貨の直径以下に狭めて設ける尖端部が回転方向の後方に位置するように、異型凹みを形成形成するようにした硬貨分離装置と、を提供するものである。
【０００７】
【発明の実施の形態】
以下、図１〜図５に基づいて本発明の実施形態を詳細に説明する。なお、理解を容易にするため、これらの図においても前記図６・図７において説明した部分と同様の機能を有する部分には、同一の符号を付した。
【０００８】
（硬貨搬送装置の実施形態）
本発明の硬貨搬送装置１００は、図１に示したように例えばパチンコ遊技台の脇に設置する図示しない玉貸し機などの一部分を構成し、起立姿勢の硬貨１が投入される硬貨回収装置２と、この硬貨回収装置２の下方に設置され、プーリ３Ａ、３Ｂによって駆動する無端ベルト４と、硬貨回収装置２と無端ベルト４との間に設けて硬貨回収装置２から供給される硬貨１をその自重を利用して無端ベルト４による搬送方向に案内して落下させる傾斜案内手段５とで構成する。
【０００９】
また、無端ベルト４の搬送作用部分、すなわち、プーリ３Ａからプーリ３Ｂに向かっている部分が下方に撓まないように、この部分の下方に設けた支持板６１と、この支持板６２の両側から起立し無端ベルト４で搬送する硬貨１が側方に落下しないように案内する側壁６２、６２とからなるガイド部材６を設ける。
【００１０】
したがって、硬貨回収装置２に投入された硬貨１は、傾斜案内手段５によって無端ベルト４の搬送方向に案内されて落下し、無端ベルト４の表面に一端が接触するとそのまま搬送方向に引かれるので、無端ベルト４上で殆ど間違いなく倒れる。したがって、硬貨１は従来の搬送装置で起こったように無端ベルト４上で回転することがなく、無端ベルト４により速やかに所望の部位に搬送される。
【００１１】
側壁６２、６２は、破線で示したように内側に傾斜して設けると、硬貨１が万一起立した状態で無端ベルト４に供給され、回転することになっても起立した硬貨１には傾斜した側壁６２、６２から内側に向かう力が作用し、倒され易くなるので、無端ベルト４による速やかな搬送が可能になる。
【００１２】
また、側壁６２、６２の内面側に、連続または不連続な図示しない突起を形成し、起立して回転している硬貨１が倒れ易くなるように構成しても良い。
【００１３】
（硬貨分離装置の実施形態）
本発明の硬貨分離装置２００は、図２に示したようにプーリ３Ａ、３Ｂによって駆動する無端ベルト４と、この無端ベルト４の上方に設けて無端ベルト４の作用面と逆方向に回転する作用面を有する硬貨分離ローラ７とで形成する。
【００１４】
硬貨分離ローラ７は、例えば幅３２ｍｍ、直径６０ｍｍに形成され、その表面には例えば深さ０．７ｍｍの凹み８を複数、例えば等間隔に４個列設する。
【００１５】
この凹み８は、例えば図３に示したように、硬貨分離ローラ７の回転方向の前方側が例えば２８ｍｍの幅で凹み、この凹み開始端８ａから回転方向とは逆方向に、例えば１０ｍｍ離間した位置を中心とする曲率半径が９ｍｍの円弧８ｂと、この円弧８ｂの接線で開口角θが、例えば１１０度である二本の直線８ｃ、８ｃと、例えば２８ｍｍ離間している平行な二本の直線８ｄ、８ｄとで囲われる、異形部分を凹陥して形成する。
【００１６】
したがって、無端ベルト４によって例えば直径の大きい５００円硬貨と、直径の小さい１００円硬貨が混在して搬送されて来ても、直径の大きい５００円硬貨は勿論、直径の小さい１００円硬貨も直径は２２ｍｍあるので、円弧８ｂの尖端部分が硬貨１の周囲に接触することがない。
【００１７】
そして、上記構成の硬貨分離ローラ７と無端ベルト４とは、分離しようとする複数の種類の硬貨１の内で最大の厚みを有する硬貨１枚の厚み分より多少離して設置し、且つ、硬貨分離ローラ７の表面移動速度が無端ベルト４の表面移動速度より速く、例えば２倍以上、好ましくは３倍以上の速さで回転するように、回転比を選定して無端ベルト４ａによって連動させると共に、プーリ３Ａ、３Ｂ、硬貨分離ローラ７の何れかを図示しない電動モータで駆動するように連結する。
【００１８】
このため、無端ベルト４によって搬送されてくる硬貨１が、例えば図４のように二枚重なっていても、凹み８のテーパ状に形成されて次第に狭まる直線８ｃ、８ｃまたは円弧８ｂの部分で周部を挟むようにして硬貨１を無端ベルト４による搬送方向とは反対方向に弾き飛ばすので、無端ベルト４の回転方向には無端ベルト４の上に倒れている硬貨１だけが１枚づつ搬送される。
【００１９】
また、無端ベルト４によって搬送されてくる硬貨１が、図５のように重なっていても、斜めになっている硬貨１の周部を凹み８のテーパ状に形成されて次第に狭まる直線８ｃ、８ｃまたは円弧８ｂの部分で周部を挟むようにして硬貨１を無端ベルト４による搬送方向とは逆方向に弾き飛ばすので、無端ベルト４の回転方向には無端ベルト４上に倒れている硬貨１だけが１枚づつ搬送される。
【００２０】
なお、硬貨分離ローラ７の表面は、無端ベルト４との間に食い込まれるように搬送されてくる硬貨１を次々に跳ねとばしても、摩耗し難いように硬質ゴム、例えば硬度ショアＡ９０のウレタンゴムなどを使用して形成する。
【００２１】
なお、本発明は上記した実施の形態に限定されるものではないので、特許請求の範囲に記載の趣旨から逸脱しない範囲で各種の変形実施が可能であり、例えば、凹み８の開口角θは９０〜１３０度程度の範囲で適宜選択できるし、凹み８の深さも変更可能である。
【００２２】
【発明の効果】
以上説明したように、硬貨搬送手段と硬貨分離ローラとを最大の厚みを有する被分離硬貨１枚の厚み分より多少広目に離間して配置すると共に、硬貨分離ローラの表面に、最大の直径を有する被分離硬貨の直径以上に拡げて設ける幅広部が回転方向の前方に、最小の直径を有する被分離硬貨の直径以下に狭めて設ける尖端部が回転方向の後方に位置するように、異型凹みを形成した本発明の硬貨分離装置においては、重なりあって硬貨が搬送されてきても、上に重なった硬貨は異型凹みの次第に狭まるテーパ部などで周部が挟まれ、搬送手段による搬送方向とは逆方向に弾き飛ばされるので、硬貨の食い込みが防止されると共に、１枚づつに分離して搬送することができる。
【図面の簡単な説明】
【図１】    硬貨搬送装置の実施形態を示す説明図である。
【図２】    硬貨分離装置の実施形態を示す説明図である。
【図３】    硬貨分離ローラに設ける凹みを示す説明図である。
【図４】    硬貨の分離要領を示す説明図である。
【図５】    硬貨の他の分離要領を示す説明図である。
【図６】    従来の硬貨搬送装置を示す説明図である。
【図７】    従来の硬貨分離装置を示す説明図である。
【符号の説明】
１  硬貨
２  硬貨回収装置
３Ａ・３Ｂ  プーリ
４・４ａ  無端ベルト
５  傾斜案内手段
６  ガイド部材
６１  支持板
６２  側壁
７  硬貨分離ローラ
８  凹み
８ａ  凹み開始端
８ｂ  円弧
８ｃ・８ｄ  直線
１００  硬貨搬送装置
２００  硬貨分離装置
【図１】
0003738067.tif 000002
【図２】
0003738067.tif 000003
【図３】
0003738067.tif 000004
【図４】
0003738067.tif 000005
【図５】
0003738067.tif 000006
【図６】
0003738067.tif 000007
【図７】
0003738067.tif 000008